(57)【要約】【課題】定量化された基準に基づいて、２線４線変換回路のエコーを抑制するためのインピーダンスを調整することが可能なインピーダンス調整装置を提供する。【解決手段】通信装置における２線４線変換回路のエコーを抑制するためのインピーダンス調整装置であって、複数のインピーダンス素子のうち１つを選択して２線４線変換回路１１０に接続するインピーダンス選択部１４２と、２線４線変換回路１１０で発生されるエコー信号から、エコーの大きさを示すエコーレベル信号をインピーダンス素子毎に算出するエコーレベル算出部１４６と、エコーレベル信号と所定の閾値との比較によって、エコーの大きさを示す指標値を算出する指標値算出部１４８とを備えるインピーダンス調整装置１４０が提供される。インピーダンス選択部１４２は、算出された指標値に基づいて、通信実行時に２線４線変換回路に接続されるインピーダンス素子を選択する。【選択図】図１
2008278356.tif 000002
【特許請求の範囲】
【請求項１】
通信装置における２線４線変換回路のエコーを抑制するためのインピーダンス調整装置であって、
複数のインピーダンス素子のうち１つを選択して前記２線４線変換回路に接続するインピーダンス選択部と、
前記選択されるインピーダンス素子毎に、エコーの大きさの判定基準となる基準信号を前記２線４線変換回路に入力することによって発生されるエコー信号から、エコーの大きさを示すエコーレベル信号を算出するエコーレベル算出部と、
前記エコーレベル信号と所定の閾値との比較によって、エコーの大きさを示す指標値を算出する指標値算出部と、
を備え、
前記インピーダンス選択部は、前記複数のインピーダンス素子の各々について算出された前記指標値に基づいて、通信実行時に前記２線４線変換回路に接続される前記インピーダンス素子を選択することを特徴とする、インピーダンス調整装置。
【請求項２】
前記エコーレベル算出部は、前記基準信号と、前記２線４線変換回路において発生される前記エコー信号との差分を前記エコーレベル信号として算出することを特徴とする、請求項１に記載のインピーダンス調整装置。
【請求項３】
前記指標値算出部は、前記エコーレベル信号の大きさを示す値が前記閾値以上となる区間の長さによって前記指標値を算出することを特徴とする、請求項１または２のいずれかに記載のインピーダンス調整装置。
【請求項４】
前記指標値算出部は、
前記エコーレベル信号の大きさを示す値が前記閾値以上であることを示す第１電圧値と、前記エコーレベル信号の大きさを示す値が前記閾値未満であることを示す第２電圧値とからなる２つの電圧値を有するパルス信号を生成するパルス信号生成部を含み、
前記パルス信号を読み取って検出される電圧値が前記第１電圧値であるか否かによって前記指標値を算出することを特徴とする、請求項１〜３のいずれかに記載のインピーダンス調整装置。
【請求項５】
前記指標値算出部は、前記パルス信号を所定の時間間隔で読み取り、前記基準信号の１周期の間に前記第１電圧値を有する前記パルス信号が検出される回数を前記指標値として算出することを特徴とする、請求項４に記載のインピーダンス調整装置。
【請求項６】
前記インピーダンス選択部において、前記指標値に基づいて選択される前記インピーダンス素子が２以上存在する場合に、前記指標値算出部は、前記パルス信号を読み取る時間間隔を変更して当該インピーダンス素子についての前記指標値を算出することを特徴とする、請求項５に記載のインピーダンス調整装置。
【請求項７】
前記インピーダンス選択部において、前記指標値に基づいて選択される前記インピーダンス素子が２以上存在する場合に、前記指標値算出部は、前記閾値を変更して当該インピーダンス素子についての前記指標値を算出することを特徴とする、請求項１〜６のいずれかに記載のインピーダンス調整装置。
【請求項８】
前記基準信号は、周波数及び振幅が一定の信号であることを特徴とする、請求項１〜７のいずれかに記載のインピーダンス調整装置。
【請求項９】
通信装置における２線４線変換回路のエコーを抑制するためのインピーダンス調整方法であって、
複数のインピーダンス素子のうち１つを選択して前記２線４線変換回路に接続するインピーダンス選択ステップと、
前記選択されるインピーダンス素子毎に、エコーの大きさの判定基準となる基準信号を前記２線４線変換回路に入力することによって発生されるエコー信号から、エコーの大きさを示すエコーレベル信号を算出するエコーレベル算出ステップと、
前記エコーレベル信号と所定の閾値との比較によって、エコーの大きさを示す指標値を算出する指標値算出ステップと、
前記複数のインピーダンス素子の各々について算出された前記指標値に基づいて、通信実行時に前記２線４線変換回路に接続される前記インピーダンス素子を決定するインピーダンス決定ステップと、
を含むことを特徴とする、インピーダンス調整方法。
【発明の詳細な説明】
【技術分野】
【０００１】
本発明は、インピーダンス調整装置及びインピーダンス調整方法に関し、より詳細には、通信装置における２線４線変換回路のエコーを抑制するためのインピーダンス調整装置及びインピーダンス調整方法に関する。
【背景技術】
【０００２】
通常、電話回線の加入者回線には２線式回線が用いられ、電子交換装置内の回線や交換装置間の中継回線には４線式回線が用いられている。このため、電子交換装置等においては、４線式回線を２線式回線に変換するためのハイブリッド回路が用いられる。このようなハイブリッド回路では、４線式回線の送話側から受話側に漏洩する音声信号のエコーを抑制するために、ハイブリッド回路における２線式回線の特性インピーダンスとインピーダンス整合を行うバランシングネットワークが設けられていることが多い（特許文献１参照）。
【０００３】
このようなバランシングネットワークにおいては、２線式回線の特性インピーダンスとインピーダンス整合を行うために、適切なインピーダンスを選択することが必要となる。一般的に、２線式回線の特性インピーダンスは回線の線路長やケーブルの太さ等に依存して決定され、線路長が長くなるほどインピーダンスが増大する。従って、バランシングネットワークは、ハイブリッド回路を使用する電子交換装置等が設置される環境に応じてインピーダンスを選択する必要がある。
【０００４】
【特許文献１】特開平５−１１０６６４号公報
【発明の開示】
【発明が解決しようとする課題】
【０００５】
しかし、従来このようなインピーダンスの選択においては、選択されたインピーダンスが最適であるか否かを定量的に把握することができないという問題があった。
【０００６】
そこで、本発明は、上記問題に鑑みてなされたものであり、本発明の目的とするところは、定量化された基準に基づいて、２線４線変換回路（ハイブリッド回路）のエコーを抑制するためのインピーダンスを調整することが可能な、新規かつ改良されたインピーダンス調整装置及びインピーダンス調整方法を提供することにある。
【課題を解決するための手段】
【０００７】
上記課題を解決するために、本発明のある観点によれば、通信装置における２線４線変換回路のエコーを抑制するためのインピーダンス調整装置であって、複数のインピーダンス素子のうち１つを選択して２線４線変換回路に接続するインピーダンス選択部と、選択されるインピーダンス素子毎に、エコーの大きさの判定基準となる基準信号を２線４線変換回路に入力することによって発生されるエコー信号から、エコーの大きさを示すエコーレベル信号を算出するエコーレベル算出部と、エコーレベル信号と所定の閾値との比較によって、エコーの大きさを示す指標値を算出する指標値算出部と、を備え、インピーダンス選択部は、複数のインピーダンス素子の各々について算出された指標値に基づいて、通信実行時に２線４線変換回路に接続されるインピーダンス素子を選択するインピーダンス調整装置が提供される。
【０００８】
かかる構成により、定量化された基準である各インピーダンス素子の指標値に基づいて、複数のインピーダンス素子の中から最もエコーを抑制することが可能なインピーダンス素子を選択することが可能となる。
【０００９】
また、エコーレベル算出部は、基準信号と、２線４線変換回路において発生されるエコー信号との差分をエコーレベル信号として算出するようにしてもよい。これにより、元の基準信号に対する発生したエコー信号の相対的な大きさに基づいてエコーの大きさを判定することができる。また、エコーレベル算出部は、基準信号とエコー信号とを加算した信号をエコーレベル信号としてもよい。あるいは、エコーレベル算出部は、エコー信号そのものをエコーレベル信号として用いて、エコー信号の絶対的な大きさに基づいてエコーの大きさを判定するようにしてもよい。
【００１０】
また、指標値算出部は、エコーレベル信号の大きさを示す値が閾値以上となる区間の長さによって指標値を算出するようにしてもよい。ここで、エコーレベル信号の大きさを示す値とは、エコーレベル信号の電圧値または電流値であってもよい。
【００１１】
また、指標値算出部は、エコーレベル信号の大きさを示す値が閾値以上であることを示す第１電圧値と、エコーレベル信号の大きさを示す値が閾値未満であることを示す第２電圧値とからなる２つの電圧値を有するパルス信号を生成するパルス信号生成部を含み、パルス信号を読み取って検出される電圧値が第１電圧値であるか否かによって指標値を算出するようにしてもよい。
【００１２】
また、指標値算出部は、パルス信号を所定の時間間隔で読み取り、基準信号の１周期の間に第１電圧値を有するパルス信号が検出される回数を指標値として算出するようにしてもよい。
【００１３】
また、インピーダンス選択部において、指標値に基づいて選択されるインピーダンス素子が２以上存在する場合に、指標値算出部は、パルス信号を読み取る時間間隔を変更して当該インピーダンス素子についての指標値を算出するようにしてもよい。あるいは、指標値算出部は、閾値を変更して当該インピーダンス素子についての指標値を算出するようにしてもよい。
【００１４】
これにより、例えば、エコーの大きさが最も小さいと判断される指標値を持つインピーダンス素子が２以上存在した場合に、さらに精度の高い指標値を算出してより最適なインピーダンスを選択することが可能となる。また、上述したパルス信号の読み取り時間間隔の変更と閾値の変更とを組み合わせて指標値を算出するようにしてもよい。
【００１５】
また、基準信号は、周波数及び振幅が一定の信号であってもよい。これにより、エコーレベル信号やパルス信号を容易に生成することが可能となる。
【００１６】
また、上記課題を解決するために、本発明の別の観点によれば、通信装置における２線４線変換回路のエコーを抑制するためのインピーダンス調整方法であって、複数のインピーダンス素子のうち１つを選択して２線４線変換回路に接続するインピーダンス選択ステップと、選択されるインピーダンス素子毎に、エコーの大きさの判定基準となる基準信号を２線４線変換回路に入力することによって発生されるエコー信号から、エコーの大きさを示すエコーレベル信号を算出するエコーレベル算出ステップと、エコーレベル信号と所定の閾値との比較によって、エコーの大きさを示す指標値を算出する指標値算出ステップと、複数のインピーダンス素子の各々について算出された指標値に基づいて、通信実行時に２線４線変換回路に接続されるインピーダンス素子を選択するステップと、を含むインピーダンス調整方法が提供される。
【００１７】
かかる構成により、定量化された基準である各インピーダンス素子の指標値に基づいて、複数のインピーダンス素子の中から最もエコーを抑制することが可能なインピーダンス素子を選択することが可能となる。
【発明の効果】
【００１８】
以上説明したように本発明によれば、定量化された基準に基づいて、２線４線変換回路（ハイブリッド回路）のエコーを抑制するためのインピーダンスを調整することが可能となる。
【発明を実施するための最良の形態】
【００１９】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２０】
まず、図５を参照して、ハイブリッド回路（２線４線変換回路）が用いられる従来の電子交換装置について説明する。図５は、従来の電子交換装置１の概略構成の一例を示すブロック図である。
【００２１】
従来の電子交換装置１は、２線式のアナログ加入者回線部１０と４線式の局線部３０との間で呼を接続するための装置である。電子交換装置１は図５に示すように、２線式のアナログ加入者回線部１０と、局線部３０と、タイムスイッチ（ＴＳＷ）２０とにより構成される。また、アナログ加入者回線部１０は、ハイブリッド回路１１と、バランシングネットワーク１３と、増幅回路（ＡＭＰ）１５及び１７と、ＣＯＤＥＣ１９とにより構成される。
【００２２】
ハイブリッド回路１１は、送受信信号が重畳された２線式信号を送信信号と受信信号とが分離された４線式信号に変換し、その逆に４線式信号を２線式信号に変換する。ＡＭＰ１５及び１７は、ハイブリッド回路１１とＣＯＤＥＣ１９との間で４線式信号の送信側信号１２及び受信側信号１４をそれぞれ増幅するために設けられている。ＣＯＤＥＣ１９は、加入者回線３から送信されるアナログ信号をデジタル信号に変換するとともに、変換されたデジタル信号をＴＳＷ２０に送信する。ＴＳＷ２０は、ＣＯＤＥＣ１９より入力されるデジタル信号を局線部３０に送出する。同様に、中継回線５からＴＳＷ２０に送信されたデジタル信号は、２線式アナログ加入者回線部１０へ送出される。
【００２３】
加入者回線３から送信される信号を中継回線５に送る場合、まず、ハイブリッド回路１１は、加入者回線３を流れる送受信信号から送信信号を分離して４線式信号の受信側信号１４として出力する。出力された信号はＡＭＰ１７によって増幅され、ＣＯＤＥＣ１９でアナログからデジタルに変換されてＴＳＷ２０に送信される。ＴＳＷ２０は、ＣＯＤＥＣ１９より入力されるデジタル信号を局線部３０に送出し、局線部３０は、中継回線５に接続されている回線のプロトコルに準じた信号を送出する。
【００２４】
一方、中継回線５から受信する信号を加入者回線３に送信する場合、まず、局線部３０は、中継回線５からの送信信号をデジタル化し、ＴＳＷ２０に送信する。ＴＳＷ２０は、アナログ加入者回線部１０内のＣＯＤＥＣ１９に上記デジタル信号を送信し、アナログ信号に変換される。変換されたアナログ信号は、ＡＭＰ１５によって増幅され、４線式信号の送信側信号１２としてハイブリッド回路１１に入力される。そして、ハイブリッド回路１１において、送信信号と受信信号とが重畳された２線式信号に変換され、加入者回線３に送出される。
【００２５】
バランシングネットワーク１３は、ハイブリッド回路１１におけるインピーダンス整合を行うために設けられるものである。バランシングネットワーク１３は、ハイブリッド回路１１において加入者回線３の特性インピーダンスとのインピーダンス整合を行うことによって、４線式信号の送信側信号１２から受信側信号１４に漏洩するエコーを抑制する。
【００２６】
しかし、加入者回線３の特性インピーダンスは、電子交換装置１の設置環境によって変化する。加入者回線３の特性インピーダンスは、例えば、加入者回線３の線路長やケーブルの太さ等に依存して決定される。従って、電子交換装置１の設置環境に応じてハイブリッド回路１１のインピーダンスを適切に調整することが必要となる。
【００２７】
以下、本発明の一実施形態に係るインピーダンス調整装置について説明する。図１は、本発明の一実施形態に係るインピーダンス調整装置１４０を用いた電子交換装置１００の概略構成を示すブロック図である。電子交換装置１００は、図１に示すように、インピーダンス調整装置１４０と、ハイブリッド回路１１０と、増幅回路（ＡＭＰ）１２０及び１２２と、ＣＯＤＥＣ１３０とにより構成される。さらに、インピーダンス調整装置１４０は、バランシングネットワーク１４１と、試験用音源１４４と、切替回路１４５と、差分算出部１４６と、パルス信号生成部１４７と、指標値算出部１４８とを備える。
【００２８】
本実施形態に係るインピーダンス調整装置１４０は、通信を行う前に、試験用音源１４４から発せられる音声信号を用いて、ハイブリッド回路１１０のインピーダンスを様々に選択したときに発生するエコーの大きさを定量的に把握し、その結果、最適なインピーダンスを選択して通信を行うようにすることを特徴とする。
【００２９】
なお、電子交換装置１００のハイブリッド回路１１０、ＡＭＰ１２０及び１２２、及びＣＯＤＥＣ１３０は、それぞれ上述した従来の電子交換装置１の該当する構成要素と同様の機能構成を有するものであるので、重複説明を省略する。
【００３０】
以下、インピーダンス調整装置１４０の各部について説明する。
【００３１】
（バランシングネットワーク１４１）
バランシングネットワーク１４１は、ハイブリッド回路１１０のインピーダンス調整を行う。バランシングネットワーク１４１は、図１に示すように、複数のインピーダンス素子１４３−１〜１４３−ｎを備え、それらのうちハイブリッド回路１１０に最適なインピーダンスを有するインピーダンス素子をインピーダンス選択部１４２が選択してハイブリッド回路１１０に接続されるようにする。
【００３２】
バランシングネットワーク１４１は、通信を開始する前に、インピーダンス素子１４３−１〜１４３−ｎのそれぞれのインピーダンスを選択した場合に発生するエコーの程度を測定するために、インピーダンス素子１４３−１〜１４３−ｎから順番に１つを選択し、ハイブリッド回路１１０に接続する。
【００３３】
より詳細には、インピーダンス選択部１４２は、まず、インピーダンス素子１４３−１を選択してハイブリッド回路１１０に接続されるようにする。ここで、差分算出部１４６、パルス信号生成部１４７及び指標値算出部１４８の処理によってエコーの程度を示す指標値が算出される。指標値の算出が終了すると、指標値算出部１４８からインピーダンス選択部１４２に指標値が入力される。インピーダンス選択部１４２は、インピーダンス素子１４３−１に対する指標値をメモリ（図示せず）に格納した後、次のインピーダンス素子１４３−２を選択する。
【００３４】
上記の処理を繰り返して、インピーダンス素子１４３−１〜１４３−ｎのそれぞれに対応する指標値が算出されたら、インピーダンス選択部１４２は、それらの指標値を比較して最もエコーの程度が小さいと判断されるインピーダンスをハイブリッド回路１１０に最適なインピーダンスとして決定する。
【００３５】
（試験用音源１４４）
試験用音源１４４は、ハイブリッド回路１１０のインピーダンス調整を行う際に使用される試験用の音声信号を発生する。ここで発生される試験用の音声信号とは、周波数及び振幅が一定の信号であり、即ち、音のピッチや音量が一定に保たれた音声である。
【００３６】
（切替回路１４５）
切替回路１４５は、ＣＯＤＥＣ１３０から出力される送信側信号と、試験用音源１４４から出力される試験用音声信号とのうちいずれか一方が入力されるように切替を行う。切替回路１４５は、バランシングネットワーク１４１がハイブリッド回路１１０のインピーダンス調整を行う間は試験用音源１４４側に切替を行い、試験用音声信号がＡＭＰ１２０を経由してハイブリッド回路１１０に入力されるようにする。
【００３７】
一方、インピーダンス調整が終了し、通常の通信が行われる間は、切替回路１４５はＣＯＤＥＣ１３０側に切替を行い、中継回線から受信された音声信号がＡＭＰ１２０を経由してハイブリッド回路１１０に入力されるようにする。
【００３８】
（差分算出部１４６）
差分算出部１４６は、インピーダンス調整時にＡＭＰ１２０から入力される試験用音声信号（Ａ）と、試験用音声信号（Ａ）を送信側から入力したときにハイブリッド回路１１０で発生されるエコー信号（Ｂ）との差分である差分信号（Ｃ）を算出して出力する回路である。なお、差分算出部１４６は、本発明に係るエコーレベル算出部の一例であって、エコーレベル信号の一例として試験用音声信号とエコー信号との差分信号を算出するものである。
【００３９】
ここで、図２及び図３は、バランシングネットワーク１４１の各インピーダンスに対する指標値を算出する過程を示す図である。例えば、図２に示すような試験用音声信号（Ａ）とエコー信号（Ｂ）とが差分算出部１４６に入力された場合、差分算出部１４６は、図２の（Ｃ）に示すような差分信号（Ｃ）を出力する。
【００４０】
一方、図３は、同じ試験用音声信号（Ａ）が入力された場合に、バランシングネットワーク１４１で異なるインピーダンスが選択されたときの例を示したものである。図３の例では、図２の例と比較してエコー信号の振幅（電圧レベル）が小さいため、差分信号（Ｃ）の振幅（電圧レベル）が大きくなる。即ち、差分算出部１４６から出力される差分信号（Ｃ）の振幅は、エコー信号（Ｂ）の振幅に反比例する。
【００４１】
（パルス信号生成部１４７）
パルス信号生成部１４７は、差分算出部１４６から出力される差分信号（Ｃ）からパルス信号（Ｄ）を生成する。パルス信号生成部１４７は、ハイレベルとローレベルの２つの値を有するパルス信号（Ｄ）を生成し、ハイレベルまたはローレベルのいずれの信号を出力するかを決定するための基準電圧を有する。例えば、パルス信号生成部１４７は、差分信号（Ｃ）の電圧レベルが基準電圧よりも高いときにはハイレベルの信号を出力し、差分信号（Ｃ）の電圧レベルが基準電圧よりも低いときにはローレベルの信号を出力する。
【００４２】
このようにして出力されたパルス信号（Ｄ）を図２及び図３に示す。図２及び図３の例に示すように、パルス信号（Ｄ）のハイレベルの区間の長さは、差分信号（Ｃ）の振幅が小さいほど短くなり、差分信号（Ｃ）の振幅が大きいほど長くなる。即ち、パルス信号（Ｄ）のハイレベルの区間の長さは、差分信号（Ｃ）の振幅に比例し、エコー信号（Ｂ）の振幅に反比例する。
【００４３】
あるいは、パルス信号生成部１４７は、上述の例とは逆に差分信号（Ｃ）の電圧レベルが基準電圧よりも高いときにはローレベルの信号を出力し、差分信号（Ｃ）の電圧レベルが基準電圧よりも低いときにはハイレベルの信号を出力する。この場合は、デジタルパルス信号（Ｄ）のローレベルの区間の長さが、差分信号（Ｃ）の振幅に比例し、エコー信号（Ｂ）の振幅に反比例する。
【００４４】
なお、パルス信号生成部１４７において用いられる基準電圧の値は、実験により統計的に求められる値であり、電子交換装置１００の設計時に定められる値であってもよい。
【００４５】
また、パルス信号生成部１４７は、上記基準電圧を変更してパルス信号を生成するようにしてもよい。例えば、インピーダンス選択部１４２において、指標値算出部１４８で算出されたインピーダンス素子１４３−１〜１４３−ｎについての指標値を比較した際に、最もエコーの程度が小さいと判断されるインピーダンス素子が２つ以上あった場合、パルス信号生成部１４７は、基準電圧をより小さい値に設定してパルス信号を生成するようにしてもよい。これにより、指標値算出部１４８は、前回よりも精度の高い指標値を得ることが可能となり、インピーダンス選択部１４２は最適なインピーダンスを選択することができる。
【００４６】
（指標値算出部１４８）
指標値算出部１４８は、パルス信号生成部１４７から出力されるパルス信号（Ｄ）に基づいて、インピーダンス素子１４３−１〜１４３−ｎのそれぞれについて指標値を算出する。例えば、指標値算出部１４８は、パルス信号生成部１４７から出力されるパルス信号（Ｄ）を予め定められた時間間隔で読み取り、読み取られたパルス信号（Ｄ）の信号レベル（電圧値）を判定するようにしてもよい。そして、例えば、信号の１周期の間に読み取られたパルス信号（Ｄ）が、ハイレベルであったときの回数をカウントし、カウントされた回数を指標値として出力する。
【００４７】
例えば、図２及び図３に示す例の場合、指標値算出部１４８は、１周期の間に１０回読み取りを行う。このうち、図２の例では、１０回中２回がハイレベルの信号が読み取られた回数となる。一方、図３の例では、１０回中４回がハイレベルの信号が読み取られた回数となる。従って、両者を比較して、回数が多い図３の例の場合の方がエコーレベルの抑制効果が高く、インピーダンスがより適切に調整されている例であると判断される。
【００４８】
なお、パルス信号の読み取りを行う時間間隔は、適宜変更されてもよい。例えば、インピーダンス選択部１４２において、指標値算出部１４８で算出されたインピーダンス素子１４３−１〜１４３−ｎについての指標値を比較した際に、最もエコーの程度が小さいと判断されるインピーダンス素子が２つ以上あった場合、指標値算出部１４８は、時間間隔をより短く設定することにより、より精度の高い指標値が得られるようにしてもよい。
【００４９】
以上、電子交換装置１００の構成について説明した。次に、図４を参照して、上述したインピーダンス調整装置１４０によるインピーダンス調整処理の一例について説明する。図４は、インピーダンス調整装置１４０によるインピーダンス調整処理の流れを示すフローチャートである。
【００５０】
まず、ステップＳ２００において、切替回路１４５は試験用音源１４４側に入力を切替え、試験用音声信号がＡＭＰ１２０を経由してハイブリッド回路１１０に入力されるようにする。次いで、ステップＳ２０２で、バランシングネットワーク１４１のインピーダンス選択部１４２は、インピーダンス素子１４３−１を選択してハイブリッド回路１１０に接続されるようにする。なお、ステップＳ２００とステップＳ２０２の処理は、同時に実行されてもよく、逆の順序で実行されてもよい。
【００５１】
次いで、ステップＳ２０４で、ＡＭＰ１２０は、切替回路１４５から入力される試験用音声信号を増幅し、ハイブリッド回路１１０及び差分算出部１４６に入力する。ステップＳ２０６で、ハイブリッド回路１１０は、２線４線変換処理を行い、ここで発生したエコー信号が差分算出部１４６に入力される。
【００５２】
ステップＳ２０８で、差分算出部１４６は、ＡＭＰ１２０から入力された試験用音声信号（Ａ）と、ハイブリッド回路１１０から入力されたエコー信号（Ｂ）との差分信号（Ｃ）を生成し、パルス信号生成部１４７に入力する。
【００５３】
ステップＳ２１０で、パルス信号生成部１４７は、パルス信号（Ｄ）を生成して指標値算出部１４８に入力する。例えば、パルス信号生成部１４７は、差分信号（Ｃ）の電圧レベルが基準電圧よりも高いときにはハイレベルの電圧値、差分信号（Ｃ）の電圧レベルが基準電圧よりも低いときにはローレベルの電圧値を有するパルス信号を生成して出力する。
【００５４】
次いで、ステップＳ２１２で、指標値算出部１４８は、パルス信号生成部１４７から出力されるパルス信号（Ｄ）に基づいて指標値を算出する。例えば、指標値算出部１４８は、パルス信号生成部１４７から出力されるパルス信号（Ｄ）を予め定められた時間間隔で読み取り、信号の１周期の間に読み取られたパルス信号（Ｄ）が、ハイレベルであったときの回数を指標値として出力するようにしてもよい。出力された指標値は、インピーダンス選択部１４２に入力され、メモリに格納される。
【００５５】
次いで、ステップＳ２１４で、インピーダンス選択部１４２は、全てのインピーダンス素子１４３−１〜１４３−ｎについて指標値の算出が終了したかを判定する。終了していない場合は、ステップＳ２０２に戻り、インピーダンス選択部１４２は、次のインピーダンス素子を選択して再びステップＳ２０４〜Ｓ２１２の処理を繰り返す。
【００５６】
全てのインピーダンス素子１４３−１〜１４３−ｎについて指標値の算出が終了したら、ステップＳ２１６に遷移し、インピーダンス選択部１４２は、算出された指標値を比較して、最もエコーレベルが小さいと判断されるインピーダンス素子を選択する。例えば、上述の例の場合、指標値が最大であるときのインピーダンス素子が選択される。
【００５７】
次いで、ステップＳ２１８で、切替回路１４５は、ＣＯＤＥＣ１３０側に入力を切換える。これにより、電子交換装置１００は、エコーを抑制するのに最適なインピーダンスが選択された状態で通信可能となる。
【００５８】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５９】
例えば、上記実施形態では、インピーダンス調整装置を電子交換装置に適用した例を用いて説明したが、本発明はかかる例に限定されず、２線４線変換を行うハイブリッド回路を用いた通信装置、交換機、電話機等に適用することが可能である。
【００６０】
また、上記実施形態では、試験用音声信号とそのエコー信号との差分信号を用いて指標値を算出するようにしたが、本発明はかかる例に限定されない。例えば、試験用音声信号とエコー信号との加算信号を用いるようにしてもよく、あるいは、エコー信号そのものを用いるようにしてもよい。
【図面の簡単な説明】
【００６１】
【図１】本発明の一実施形態に係る電子交換装置の概略構成を示すブロック図である。
【図２】同実施形態に係るバランシングネットワークの各インピーダンスに対する指標値を算出する過程を示す図である。
【図３】同実施形態に係るバランシングネットワークの各インピーダンスに対する指標値を算出する過程を示す図である。
【図４】同実施形態に係るインピーダンス調整装置によるインピーダンス調整処理の流れを示すフローチャートである。
【図５】従来の電子交換装置の概略構成の一例を示すブロック図である。
【符号の説明】
【００６２】
１００    電子交換装置
１１０    ハイブリッド回路
１２０、１２２    増幅回路（ＡＭＰ）
１３０    ＣＯＤＥＣ
１４０    インピーダンス調整装置
１４１    バランシングネットワーク
１４２    インピーダンス選択部
１４３    インピーダンス素子
１４４    試験用音源
１４５    切替回路
１４６    差分算出部
１４７    パルス信号生成部
１４８    指標値算出部
【図１】
2008278356.tif 000003
【図２】
2008278356.tif 000004
【図３】
2008278356.tif 000005
【図４】
2008278356.tif 000006
【図５】
2008278356.tif 000007